(57)【特許請求の範囲】
【請求項１】
本体(34)上部に配設された前面パネル(27)、後面パネル(21)、上面パネル(24)および両側面パネル(22,23)により、所要の室(13)を画成するキャビネット(14)において、
前記本体(34)上部の所定位置に立設された少なくとも４本の取付支柱(18)の夫々には、前面パネル(27)、後面パネル(21)および両側面パネル(22,23)に対する取付部側に被係合部(18a,18b)が設けられ、
前記両側面パネル(22,23)は、各取付支柱(18,18)に対する取付部側に設けられた側部係合部(22c,23c)を、該取付支柱(18,18)の対応する被係合部(18a,18a)に対して係脱可能に係合することで取付支柱(18,18)に取付けられ、
前記上面パネル(24)は、前記両側面パネル(22,23)に設けられた側部被係合部(22d,23d)に対して上方から係脱可能に係合する上部係合部(24a,24a)を該側部被係合部(22d,23d)に係合することで取付けられ、
前記後面パネル(21)は、各取付支柱(18,18)に対する取付部側に設けられた後部第１係合部(21e,21e)を、該取付支柱(18,18)の被係合部(18b,18b)に対して係脱可能に係合することで取付支柱(18,18)に取付けられた状態で、該後面パネル(21)に設けられた後部第２係合部(21d)が前記上面パネル(24)の後側に設けられた上部被係合部(24b)に上方から係脱可能に係合し、
前記前面パネル(27)は、各取付支柱(18,18)に対する取付部側に設けられた前部第１係合部(25e,25e,26e,26e)を、該取付支柱(18,18)の被係合部(18b,18b)に対して係脱可能に係合することで取付支柱(18,18)に取付けられた状態で、該前面パネル(27)に設けられた前部第２係合部(25d)が前記上面パネル(24)の前側に設けられた上部被係合部(24b)に上方から係脱可能に係合し、
前記後面パネル(21)および前面パネル(27)は、前記取付部材(18,18)に固定部材(28)を介して着脱可能に固定されている
ことを特徴とするキャビネット構造。
【請求項２】
本体(34)上部に配設された前面パネル(310)、後面パネル(200)、上面パネル(300)および両側面パネル(180,180)により、所要の室(13)を画成するキャビネット(120)において、
前記本体(34)上部の前側において左右に離間して立設された一対の取付支柱(140,140)には、前面パネル(310)および両側面パネル(180,180)に対する取付部側に前面被係合部(140d,140e)および側面被係合部(140c)が夫々設けられ、
前記両側面パネル(180,180)および後面パネル(200)が一体的に形成された主パネル(160)は、両側面パネル(180,180)の取付支柱(140,140)に対する取付部側に設けられた側面係合部(220,220)を、該取付支柱(140,140)の対応する側面被係合部(140d,140e)に対して係脱可能に係合すると共に、該主パネル(160)の後下部に設けられた後下部係合部(270a,270a)を、前記本体(34)上部の後側に設けた後部被係合部(280,280)に対して係脱可能に係合することで本体(34)に取付けられ、
前記上面パネル(300)は、その後部に設けられた後部係合部(300a)を、前記後面パネル(200)に設けられた後上部被係合部(200a)に対して係脱可能に係合すると共に、該上面パネル(300)の両側部に設けられた側部係合部(300b,300b)を、前記両側面パネル(180,180)に設けられた側上部被係合部(180a,180a)に対して上方から係脱可能に係合することで取付けられ、
前記前面パネル(310)は、各取付支柱(140,140)に対する取付部側に設けられた前面係合部(320b,340b)を、該取付支柱(140,140)の前面被係合部(140d,140e)に対して係脱可能に係合することで取付支柱(140,140)に取付けられた状態で、該前面パネル(310)に設けられた上部係合部(340d)が前記上面パネル(300)の前側に設けられた前部被係合部(300c)に上方から係脱可能に係合し、
前記前面パネル(310)は、前記取付部材(140,140)に固定部材(350)を介して着脱可能に固定されている
ことを特徴とするキャビネット構造。
【請求項３】
前記前面パネル(27,310)は、上下に分割された上部側の前上部パネル(25,340)および下部側の制御パネル(26,320)から構成され、該制御パネル(26,320)に、前記室(13)に配設された電装箱(16)に接続される司令部(26c,360)が設けられている請求項１または２記載のキャビネット構造。
【発明の詳細な説明】
【０００１】
【発明の属する技術分野】
この発明はキャビネット構造に関し、更に詳細には、キャビネットを構成する複数のパネルの取付けおよび取外しを容易な構造とし、メンテナンス等を簡単かつ迅速に行ない得るようにしたキャビネット構造に関するものである。
【０００２】
【従来の技術】
一般的に食器保管庫等の筐体上部には、該保管庫を稼働させる各種電装部品等が備えられている。これらの電装部品は、保管庫を適正に使用するため、構成部品の中でも最も調整・補修等が必要なものである。このような食器保管庫に関し、図３１、図３２および図３３を参照して以下説明する。図示の食器保管庫５０は、前方に開放する扉３２,３２を備えた保管庫本体３４と、該保管庫本体３４の上部に配設されて制御室５１を内部画成する制御室キャビネット５２とから基本的に構成される。保管庫本体３４の天板上には、その四方の隅部に支柱３６が夫々立設され、この４本の支柱３６に、制御室キャビネット５２を構成する５枚のパネル５３,５４,５５,５６,５７が、ネジ６０により夫々着脱可能に固定されるようになっている。
【０００３】
前記制御室キャビネット５２は、後面パネル５３、右側面パネル５４、左側面パネル５５、上面パネル５６および前面パネル５７から構成され、前記保管庫本体３４の天板上に配設された各種電装部品および該電装部品を制御する電装箱５８が収納されている。また前面パネル５７の所定位置には、食器保管庫５０の制御を司る制御パネル５９が設けられており、該制御パネル５９と、前記電装箱５８とは配線によって接続されている。前記制御室キャビネット５２の各パネル５３,５４,５５,５６,５７の前記支柱３６への取付け態様については、各支柱３６のパネル取付部(左右・前後および上部)にネジ孔が夫々螺設されており、各ネジ孔に対応して各パネル５３,５４,５５,５６,５７に穿設されている取付孔を整列状態として、各取付孔から挿通した前記ネジ６０をネジ孔に螺挿することで固定している。
【０００４】
【発明が解決しようとする課題】
前述したように、制御室キャビネット５２を構成する各パネル５３,５４,５５,５６,５７は、夫々が複数のネジ６０によって固定されているため、該ネジ６０の使用数が多くなって製造コストが嵩む難点がある。また、各種電装部品等の調整・補修のために必要に応じて前記各パネル５３,５４,５５,５６,５７を取外す際には、各パネル毎に多数のネジ６０を取外さなければならず、手間がかかる問題が指摘される。なお、前記後面パネル５３、右側面パネル５４、左側面パネル５５については、ネジ６０に代えてリベット等により固定されて取外し可能とはなっていない場合があり、このような構成では、各種電装部品等の調整・補修には、非常に手間がかかっていた。
【０００５】
また、前記食器保管庫５０の作動に関する制御を司る制御パネル５９が前面パネル５７に取付けられているため、該前面パネル５７を取外して制御室５１内を前面側から目視可能な状態にするには、制御パネル５９と電装箱５８との配線を取外さなくてはならない。しかるにこのような状態では、前記制御室５１内部に配設されている各種電装部品等の調整・補修は可能となるが、その作動確認を行なうことはできず、やはりその調整・補修について手間がかかる欠点が指摘される。
【０００６】
【発明の目的】
本発明は、前述した従来の技術に内在している前記欠点に鑑み、これを好適に解決するべく提案されたものであって、キャビネットを構成するパネル同士を相互に係合させることで固定可能とし、これにより部品点数を低減して製造コストおよび組立て時の手間を低減し得る新規なキャビネット構造を提供することを目的とする。
【０００７】
【課題を解決するための手段】
前記課題を克服し、所期の目的を達成するため、本発明に係るキャビネット構造は、
本体上部に配設された前面パネル、後面パネル、上面パネルおよび両側面パネルにより、所要の室を画成するキャビネットにおいて、
前記本体上部の所定位置に立設された少なくとも４本の取付支柱の夫々には、前面パネル、後面パネルおよび両側面パネルに対する取付部側に被係合部が設けられ、
前記両側面パネルは、各取付支柱に対する取付部側に設けられた側部係合部を、該取付支柱の対応する被係合部に対して係脱可能に係合することで取付支柱に取付けられ、
前記上面パネルは、前記両側面パネルに設けられた側部被係合部に対して上方から係脱可能に係合する上部係合部を該側部被係合部に係合することで取付けられ、
前記後面パネルは、各取付支柱に対する取付部側に設けられた後部第１係合部を、該取付支柱の被係合部に対して係脱可能に係合することで取付支柱に取付けられた状態で、該後面パネルに設けられた後部第２係合部が前記上面パネルの後側に設けられた上部被係合部に上方から係脱可能に係合し、
前記前面パネルは、各取付支柱に対する取付部側に設けられた前部第１係合部を、該取付支柱の被係合部に対して係脱可能に係合することで取付支柱に取付けられた状態で、該前面パネルに設けられた前部第２係合部が前記上面パネルの前側に設けられた上部被係合部に上方から係脱可能に係合し、
前記後面パネルおよび前面パネルは、前記取付部材に固定部材を介して着脱可能に固定されていることを特徴とする。
【０００８】
前記課題を克服し、所期の目的を達成するため、本願の別の発明に係るキャビネット構造は、
本体上部に配設された前面パネル、後面パネル、上面パネルおよび両側面パネルにより、所要の室を画成するキャビネットにおいて、
前記本体上部の前側において左右に離間して立設された一対の取付支柱には、前面パネルおよび両側面パネルに対する取付部側に前面被係合部および側面被係合部が夫々設けられ、
前記両側面パネルおよび後面パネルが一体的に形成された主パネルは、両側面パネルの取付支柱に対する取付部側に設けられた側面係合部を、該取付支柱の対応する側面被係合部に対して係脱可能に係合すると共に、該主パネルの後下部に設けられた後下部係合部を、前記本体上部の後側に設けた後部被係合部に対して係脱可能に係合することで本体に取付けられ、
前記上面パネルは、その後部に設けられた後部係合部を、前記後面パネルに設けられた後上部被係合部に対して係脱可能に係合すると共に、該上面パネルの両側部に設けられた側部係合部を、前記両側面パネルに設けられた側上部被係合部に対して上方から係脱可能に係合することで取付けられ、
前記前面パネルは、各取付支柱に対する取付部側に設けられた前面係合部を、該取付支柱の前面被係合部に対して係脱可能に係合することで取付支柱に取付けられた状態で、該前面パネルに設けられた上部係合部が前記上面パネルの前側に設けられた前部被係合部に上方から係脱可能に係合し、
前記前面パネルは、前記取付部材に固定部材を介して着脱可能に固定されていることを特徴とする。
【０００９】
【発明の実施の形態】
次に、本発明に係るキャビネット構造につき、好適な実施例を挙げて、添付図面を参照して以下説明する。なお、各実施例に係る食器保管庫の保管庫本体の構造は、従来の技術で説明した構造と同一であるので、既出の部材には同一の符号を用いるものとする。また、各実施例の説明において前後および左右とは、食器保管庫を前面側(正面側)から視た状態で指称する。
【００１０】
【第１実施例】
図１は、第１実施例に係る好適な食器保管庫の上部に配設した制御室キャビネットを分解して示す分解斜視図、図２は食器保管庫の概略正面図である。
【００１１】
(全体構成について)
第１実施例に係る食器保管庫１０は、図２に示す如く、矩形箱状の本体としての保管庫本体３４の内部に、前方側に開口して食器を保管する収納室１２が画成されると共に、該保管庫本体３４の上部には、制御室(室)１３を内部画成する制御室キャビネット(キャビネット)１４が配設されている。また保管庫本体３４の前面には、収納室１２の前面開口部を開閉可能な扉３２,３２が配設される。
【００１２】
前記制御室キャビネット１４は、図１に示す如く、保管庫本体３４の天板３５上に配設した各種制御用電装部品および該電装部品の制御を司る電装箱１６を、後面パネル２１、右側面パネル２２、左側面パネル２３、上面パネル２４および前面パネル２７で覆うよう構成される。また電装箱１６の前面には、後述する接続コード２６ｄが接続されるコネクタ１６ａが設けられている。前記各パネル２１,２２,２３,２４,２７は、保管庫本体３４における天板３５上の四方の隅部に立設された４本の取付支柱１８,１８,１８,１８に対して着脱可能に取付けられている。また天板３５の前側両端部近傍には、後述する制御パネル２６の取付孔２６ｆ,２６ｆと連通して、ネジ２９を螺挿することで該制御パネル２６を固定するネジ孔３５ａ,３５ａが螺設されている。
【００１３】
(取付支柱について)
前記各取付支柱１８は、図３に示す如く、平面視において略Ｌ字形を呈し、その両辺部が直交する角部を、前記制御室キャビネット１４の対応する隅部に略一致すると共に、各辺部が前面、右側面、左側面または後面の隣り合った２辺の向きに合致する姿勢で天板３５上に立設される。そして、天板３５の後側で左右に離間する一対の取付支柱１８,１８の後側に後面パネル２１が取付けられると共に、前側で左右に離間する一対の取付支柱１８,１８の前側に前面パネル２７が取付けられる。また天板３５の右側において前後に離間する一対の取付支柱１８,１８の右側に右側面パネル２２が取付けられると共に、左側で前後に離間する一対の取付支柱１８,１８の左側に左側面パネル２３が取付けられるようになっている。なお、４本の取付支柱１８は、前記天板３５に対する配設姿勢が異なるだけで、その基本的な構成は同一である。
【００１４】
前記右側の前後に配設される各取付支柱１８における右側面パネル２２と対向する一方の辺部の右側面(取付部側)には、該パネル２２に設けられた後述する係合フック２２ｃ,２２ｃが係脱可能な２つの被係合部としての被係合受部１８ａ,１８ａが上下に所定間隔離間して設けられている。また左側の前後に配設される各取付支柱１８における左側面パネル２３と対向する一方の辺部の左側面(取付部側)には、該パネル２３に設けられた後述する係合フック２３ｃ,２３ｃが係脱可能な２つの被係合部としての被係合受部１８ａが上下に所定間隔離間して設けられている。後側の左右に配設される各取付支柱１８における後面パネル２１と対向する他方の辺部の後面(取付部側)には、該パネル２１の後述する係合長孔２１ｅ,２１ｅに係脱可能な２つの被係合部としての被係合突起１８ｂ,１８ｂが上下に所定間隔離間して設けられている。更に、前側の左右に配設される各取付支柱１８における前面パネル２７と対向する他方の辺部の前面(取付部側)には、該パネル２７の後述する係合長孔２５ｅ,２５ｅ,２６ｅ,２６ｅに係脱可能な２つの被係合部としての被係合突起１８ｂ,１８ｂが上下に所定間隔離間して設けられている。なお、各係合突起１８ｂには、その先端から離間する部位に全周に亘って所定深さだけ凹んだ溝部１８ｃが設けられている。
【００１５】
図３に示す如く、前記後側の左右に配設される各取付支柱１８における他方の辺部の上端部には、後方に水平に延出する取付部１８ｄが形成され、該取付部１８ｄに上下方向に貫通するネジ孔１８ｅが螺設されている。また前側の左右に配設される各取付支柱１８における他方の辺部の上端部には、前方に水平に延出する取付部１８ｄが形成され、該取付部１８ｄに上下方向に貫通するネジ孔１８ｅが螺設されている。そして、前記後面パネル２１および前面パネル２７が、４つのネジ孔１８ｅに螺挿される固定手段としてのネジ２８を介して後側または前側に位置する取付支柱１８,１８に着脱可能に固定されるよう構成される。
【００１６】
(側面パネルについて)
前記右側面パネル２２および左側面パネル２３は、図４に示す如く、左右対称の構造であるので、主に右側面パネル２２の構造につき説明する。右側面パネル２２は、基本的には前記制御室キャビネット１４の右側面の大きさを有すると共に、制御室１３側および下方に開放する箱形に形成される。そして、外側で垂直に位置する側面壁２２ａの上端縁に、上面部２２ｂが内側(制御室１３側)に向けて水平に延出するよう形成される。側面部２２ａの内側(取付部側)における前後に所定間隔離間する位置(各取付支柱１８に対応する位置)には、下方に向かって延出する２つの側部係合部としての係合フック２２ｃ,２２ｃが上下に離間して配設され、各係合フック２２ｃが前記対応する取付支柱１８の被係合受部１８ａに対して上方から係脱可能に係合されるよう構成される(図９(ａ),(ｂ)参照)。また上面部２２ｂの先端には、その断面形状が上方に開口した略レ字形状となる側部被係合部としての被係合溝２２ｄが、前後の取付支柱１８,１８における対向する他方の辺部間の対向間隔と略同じ長さに亘って形成されている。また被係合溝２２ｄの前後両側には、両取付支柱１８,１８に右側面パネル２２を取付けた際に、各取付支柱１８における他辺部の上面が上面部２２ｂの下面に当接するのを許容するスリットが設けられている。
【００１７】
なお、左側面パネル２３にも右側面パネル２２と同様に、側面部２３ａの内側(取付部側)に４つの係合フック(側部係合部)２２ｃが配設されると共に、上面部２３ｂの先端には被係合溝(側部被係合部)２３ｄが形成されている。
【００１８】
(上面パネルについて)
前記上面パネル２４は、図５に示す如く、下方に開口した矩形状の箱体であり、前記右側面パネル２２および左側面パネル２３と対応する左右両側の側部は、該右側面パネル２２および左側面パネル２３の被係合溝２２ｄ,２３ｄに対して上方から係脱可能に係合する上部係合部としての係合辺２４ａ,２４ａとして機能する(図１１(ａ),(ｂ)参照)。また上面パネル２４の前面側および後面側には、両側面パネル２２,２３の被係合溝２２ｄ,２３ｄと同様に、その断面形状が上方に開口した略レ字形状となる上部被係合部としての被係合溝２４ｂが、左右の取付支柱１８,１８における対向する他方の辺部間の対向間隔と略同じ長さに亘って夫々形成されている。
【００１９】
(後面パネルについて)
前記後面パネル２１は、図６に示す如く、前方側に開口する矩形状の箱体であって、その左右方向の両側面部２１ａ,２１ａの前端部には、内側(他方の側面部を指向する側)に向かって直角に屈曲されて所定長さ延出する側面屈曲部２１ｃ,２１ｃが形成されている。また後面パネル２１の上面部２１ｂの前端部には、下方に向かって直角に屈曲されて所定長さ延出する後部第２係合部としての係合辺２１ｄが形成され、該係合辺２１ｄが前記上面パネル２４の対応する被係合溝２４ｂに上方から係脱可能に係合するよう構成される(図１３(ａ),(ｂ)参照)。前記各側面屈曲部(取付部側)２１ｃには、前記取付支柱１８の被係合突起１８ｂ,１８ｂが係脱可能に係合する２つの後部第１係合部としての係合長孔２１ｅ,２１ｅが上下に離間して穿設されており、各係合長孔２１ｅに対応する被係合突起１８ｂを係合させることで、取付支柱１８,１８に対して後面パネル２１が取付けられる(図１２(ａ),(ｂ)参照)。
【００２０】
なお、前記後面パネル２１の各係合長孔２１ｅは、その下端部が前記被係合突起１８ｂの挿入を許容する大きさに設定される一方、他の部分は若干小さい寸法に設定される。そして、被係合突起１８ｂの溝部１８ｃを小寸法部に係合することで、係合長孔２１ｅからの被係合突起１８ｂの抜止めがなされるよう構成されている。また後面パネル２１における上面部２１ｂの左右方向両端部近傍には、対応する取付支柱１８の取付部１８ｄに設けたネジ孔１８ｅに対応する取付孔２１ｆが夫々穿設され、該取付孔２１ｆに上方から挿通したネジ２８をネジ孔１８ｅに螺挿することで、後面パネル２１が取付支柱１８,１８に固定されるようになっている。また後面パネル２１の左右の幅寸法は、制御室キャビネット１４の対応する幅寸法に対して、左右の側面パネル２２,２３の幅寸法分だけ短かく設定され、該後面パネル２１の左右両側面が左右の側面パネル２２,２３で挟まれるよう構成される(図１２(ｂ)参照)。
【００２１】
(前面パネルについて)
前記前面パネル２７は、前記取付支柱１８,１８の上部側に取付けられる前上部パネル２５と下部側に取付けられる制御パネル２６との上下に分割可能な２つの部材から構成されている。前上部パネル２５の構造は、基本的には前記後面パネル２１の構造と同様であるが、その高さ寸法が制御パネル２６の高さ寸法分だけ短く設定されている。すなわち、図７に示す如く、後方側に開口する矩形状の箱体として形成された前上部パネル２５における左右方向の両側面部２５ａ,２５ａの後端部には、内側に向かって直角に屈曲されて所定長さ延出する側面屈曲部２５ｃ,２５ｃが形成される。また前上部パネル２５における上面部２５ｂの後端部には、下方に向かって直角に屈曲されて所定長さ延出する前部第２係合部としての係合辺２５ｄが形成され、該係合辺２５ｄが前記上面パネル２４の対応する被係合溝２４ｂに上方から係脱可能に係合するよう構成される(図１５参照)。前記各側面屈曲部(取付部側)２５ｃには、対応する取付支柱１８の上側に位置する被係合突起１８ｂが係脱可能に係合する１本の前部第１係合部としての係合長孔２５ｅが穿設されており、該係合長孔２５ｅに対応する被係合突起１８ｂを係合させることで、取付支柱１８,１８に対して前上部パネル２５が取付けられるようになっている。
【００２２】
なお、前記前上部パネル２５の係合長孔２５ｅは、後面パネル２１の係合長孔２５ｅと同様に、その下端部が前記被係合突起１８ｂの挿入を許容する大きさに設定される一方、他の部分は若干小さい寸法に設定される。そして、被係合突起１８ｂの溝部１８ｃを小寸法部に係合することで、係合長孔２５ｅからの被係合突起１８ｂの抜止めがなされるよう構成される。また前上部パネル２５における上面部２５ｂの左右方向両端部近傍には、対応する取付支柱１８の取付部１８ｄに設けたネジ孔１８ｅに対応する取付孔２５ｆが夫々穿設され、該取付孔２５ｆに上方から挿通したネジ２８をネジ孔１８ｅに螺挿することで、前上部パネル２５が取付支柱１８,１８に固定されるようになっている。
【００２３】
前記制御パネル２６は、後方側および上方側に開口する箱体であり、左右方向の両側面部２６ａ,２６ａの後端部には、内側に向かって直角に屈曲されて所定長さ延出した屈曲部２６ｂ,２６ｂが形成されている。そして各屈曲部(取付部側)２６ｂに、前記係合長孔２５ｅと同一構成の係合長孔(前部第１係合部)２６ｅが穿設され、両係合長孔２６ｅ,２６ｅを介して制御パネル２６が取付支柱１８,１８に取付けられるようになっている。また制御パネル２６における下面部２６ｇの左右方向両端部近傍には、前記天板３５に設けたネジ孔３５ａに対応する取付孔２６ｆが夫々穿設され、該取付孔２５ｆに上方から挿通した固定手段としてのネジ２９をネジ孔３５ａに螺挿することで、制御パネル２６が天板３５に固定されるよう構成される(図１４(ａ),(ｂ),(ｃ)参照)。なお、制御パネル２６の前面の所定位置には、制御ボタン、表示部等を有する司令部２６ｃが配設されており、該司令部２６ｃの後面には、前記電装箱１６のコネクタ１６ａに一端部が接続された所定長さの接続コード２６ｄの他端部が接続されている。また、前上部パネル２５および制御パネル２６の左右の幅寸法は、前記後面パネル２１と同様に制御室キャビネット１４の対応する幅寸法に対して、左右の側面パネル２２,２３の幅寸法分だけ短かく設定され、該両パネル２５,２６の左右両側面が左右の側面パネル２２,２３で挟まれるよう構成される(図１４(ｃ)参照)。
【００２４】
【第１実施例の作用】
次に、第１実施例に係るキャビネット構造の作用につき説明する。前記各パネル２１,２２,２３,２４,２７によって形成される制御室キャビネット１４は、以下に述べる順序で組立てられる。なお、これら各パネル２１,２２,２３,２４,２７は、図１に示すように全て分解された状態にあるものとする。
【００２５】
先ず、制御室キャビネット１４の両側面を構成する右側面パネル２２および左側面パネル２３を、図８および図９(ａ),(ｂ)に示す如く、夫々のパネル２２,２３を対応する右または左側から左右の取付支柱１８,１８に対して取付ける。すなわち、両パネル２２,２３の側面部２２ａ,２３ａに設けられている各係合フック２２ｃ,２３ｃを、対応する取付支柱１８の被係合受部１８ａに夫々上方から挿通して係合する。このような構造で取付けられた両側面パネル２２,２３は、取付支柱１８,１８に対して前後および左右方向への移動が規制された状態で、上方にだけ移動が可能となっている。
【００２６】
次に、制御室キャビネット１４の上面を構成する上面パネル２４を、図１０および図１１(ａ),(ｂ)に示すように、先に取付けた右側面パネル２２および左側面パネル２３に載置して取付ける。すなわち、右側面パネル２２および左側面パネル２３の被係合溝２２ｄ,２３ｄに対して、上面パネル２４に形成した両側の係合辺２４ａ,２４ａを上方から係合するよう載置することで取付ける。そしてこの上面パネル２４は、右側面パネル２２および左側面パネル２３の上方への移動を規制するべく機能すると共に、自身は両側面パネル２２,２３により左右方向への移動が規制される。なお、右側面パネル２２および左側面パネル２３の被係合溝２２ｄ,２３ｄは、上方に開口した略レ字形状としてあるので、前記係合辺２４ａ,２４ａにより上面パネル２４を取付ける際の案内となって取付けが容易となる。
【００２７】
更に、前記制御室キャビネット１４の後面を構成する後面パネル２１を、図１２(ａ),(ｂ)に示すように取付ける。なお、両側面パネル２２,２３および上面パネル２４を取付けた状態で、その後面側から後側の取付支柱１８,１８に設けられた各被係合突起１８ｂ,１８ｂおよび上面パネル２４の被係合溝２４ｂが目視できる状態になっている。そして後面パネル２１の取付けに際しては、先ず該パネル２１の各係合長孔２１ｅに、前記対応する被係合突起１８ｂを下端部の大寸法部から挿入する。次いで前記被係合突起１８ｂの溝部１８ｃを係合長孔２１ｅの小寸法部に合わせた状態で、当該後面パネル２１を下方にスライド移動させることで、被係合突起１８ｂが係合長孔２１ｅに抜止め状態で係合する。また後面パネル２１の下方へのスライド移動時に、図１３(ａ),(ｂ)に示す如く、前記係合辺２１ｄが前記上面パネル２４における後側の被係合溝２４ｂに上方から係合する。このとき、後面パネル２１における上面部２１ｂの両端部近傍に穿設された取付孔２１ｆ,２１ｆが、後側の取付支柱１８,１８に設けられたネジ孔１８ｅ,１８ｅと連通状態になるので、各取付孔２１ｆに上方から挿通したネジ２８を対応するネジ孔１８ｅに螺挿することで、後面パネル２１は取付支柱１８,１８に位置決め固定される。
【００２８】
最後に、前記制御室キャビネット１４の前面を構成する前面パネル２７を、図１４(ａ),(ｂ),(ｃ)に示すように取付ける。なお、前面パネル２７については、下部側の制御パネル２６、上部側の前上部パネル２５の順で取付けられるものであって、その取付け方法は、基本的には前記後面パネル２１の取付けと同様である。
【００２９】
前記制御パネル２６については、前側の取付支柱１８,１８の下側に位置する被係合突起１８ｂ,１８ｂを、制御パネル２６の係合長孔２６ｅ,２６ｅに夫々挿入係合させる。この制御パネル２６を、被係合突起１８ｂ,１８ｂと係合長孔２６ｅ,２６ｅとを係合させて所定位置に位置決めすると、該制御パネル２６に設けた取付孔２６ｆ,２６ｆが、前記天板３５のネジ孔３５ａ,３５ａと連通状態になるので、各取付孔２６ｆに上方から挿通したネジ２９を対応するネジ孔３５ａに螺挿することにより、当該制御パネル２６は位置決め固定される。なお、制御パネル２６の上方は部分的に開口しているので(図１４(ｂ)参照)、上方側からの工具等の取扱いは容易であり、ネジ２９の螺挿作業を容易に行ない得る。また、制御パネル２６を取付けた後であっても、該パネル２６の上方には前面パネル２５が取付けられていないので、制御室１３内の目視・調整および前記接続コード２６ｄの司令部２６ｃと電装箱１６との接続作業を容易に行ない得る。
【００３０】
次に、前記前上部パネル２５を、前述した後面パネル２１の取付けと同様に、該前上部パネル２５の係合長孔２５ｅ,２５ｅと、対応する取付支柱１８,１８の被係合突起１８ｂ,１８ｂとを係合して位置合わせを行ない、前上部パネル２５の取付孔２５ｆ,２５ｆと、対応する取付支柱１８,１８のネジ孔１８ｅ,１８ｅとを連通状態としたもとで、各取付孔１８ｅに上方から挿通したネジ２８を対応のネジ孔１８ｅに螺挿することで、前上部パネル２５は取付支柱１８,１８に位置決め固定される。このとき、前上部パネル２５の係合辺２５ｄが、前記上面パネル２４における前側の被係合溝２４ｂに上方から係合し、上面パネル２４の上方への移動を規制する。
【００３１】
前記後面パネル２１および前面パネル２７の取付けが完了することにより、制御室キャビネット１４が構成される。そして、後面パネル２１および前面パネル２７の取付け完了により、上面パネル２４および左右の側面パネル２２,２３が位置決め固定される。すなわち、両側面パネル２２,２３の上方への移動を規制する上面パネル２４の上方および前後方向への移動が、後面パネル２１および前面パネル２７により規制されるものである。
【００３２】
前述したように、前記制御室キャビネット１４は、基本的には前後のパネル２７,２１を固定するための６本のネジ２８,２９により固定されているから、その組立ておよび分解作業を簡単かつ短時間で行ない得ると共に、ネジ２８,２９の使用数は少なく、製造コストを低廉に抑えることができる。また、前記制御室１３に配設されている各種電装部品や電装箱１６の調整・補修に際しては、２本のネジ２８を外して前上部パネル２５を取付支柱１８,１８から取外すだけで、制御室１３内を前面側から視認可能となるので、手間がかからない。しかも、制御パネル２６の司令部２６ｃと電装箱１６とを接続コード２６ｄを介して接続した状態で調整・補修作業を行ない得るから、作動確認を直に行なうことが可能である。
【００３３】
なお、前記上面パネル２４は、図１５に示す如く、前上部パネル２５(前面パネル２７)または後面パネル２１の一方を取外した状態で、該上面パネル２４の前方側または後方側を上方に傾動することで、固定状態の後面パネル２１や前上部パネル２５から取外し得るよう構成されている。従って、食器保管庫１０の設置状態によって、前側からしか作業を行なえない場合であっても、前上部パネル２５を取外すことにより、上面パネル２４および左右の側面パネル２２,２３を取外すことが可能である。
【００３４】
前述の第１実施例では、取付支柱１８に形成した被係合突起１８ｂに係合する係合長孔２１ｅ,２５ｅ,２６ｅを対応するパネル２１,２５,２６に形成した場合で説明したが、逆の構成であってもよい。また取付支柱１８の被係合受部１８ａと両側面パネル２２,２３の係合フック２２ｃ,２３ｃの構成も逆であってもよく、この場合は取付支柱１８に設けた上方に向けて延出する係合フック(被係合部)に対して、側面パネル２２,２３に設けた係合受部(側部係合部)が上方から挿通されることとなる。更に、第１実施例では前面パネル２７を前上部パネル２５と制御パネル２６との２部材から構成したが、１部材から構成したものであってもよく、この場合は前面パネル２７の２本のネジ２８によって固定される。更にまた、取付支柱１８や各パネル２１,２２,２３,２４,２７に設けられる被係合部および係合部の配設数は、第１実施例の数に限定されるものでなく、各種仕様に応じて任意の数に設定し得るものである。なお、本発明のキャビネット構造は、第１実施例のような食器保管庫に限定されるものでなく、冷蔵庫や温蔵庫等の各種の分野のものに採用し得るものある。
【００３５】
【第２実施例】
図１６は、第２実施例に係る制御室キャビネット(キャビネット)を分解状態で示す斜視図であって、該制御室キャビネット１２０は、保管庫本体３４の上部に配設した前記電装箱１６を、左右の両側面パネル１８０,１８０と後面パネル２００とを一体的に形成した主パネル１６０、上面パネル３００および前面パネル３１０で覆うよう構成されるものであって、その内部に制御室１３を画成することは、前述した第１実施例と同様である。
【００３６】
(取付支柱について)
図１６に示す如く、保管庫本体３４上部の前側には、左右に離間して制御室キャビネット１２０を構成する一対の取付支柱１４０,１４０が配設されている。各取付支柱１４０は、図に示すように、上方から視た形状がＬ字形を呈し、保管庫本体３４の前面側に第１折曲部１４０ａを位置させると共に、第２折曲部１４０ｂを対応する右または左側面と略整列するよう配置されている。第２折曲部１４０ｂには、上下方向に所定間隔離間して、外側に延出した後に上方に向けて略直角に折曲形成された側面被係合部としての係止受部１４０ｃが２個所に設けられている。また第１折曲部１４０ａには、その前面側に、後述する前上部パネル３４０を係止する前面被係合部としての上係止突起１４０ｅと、制御パネル３２０を係止する同じく前面被係合部としての下係止突起１４０ｄとが設けられると共に、該折曲部１４０ａの上端部には、前上部パネル３４０の支持固定に供されるネジ孔１５０ａを螺設した突片１５０が、保管庫本体３４の前面側に略水平に突出するよう形成されている。なお取付支柱１４０は、保管庫本体３４の上部に、例えばリベット等の止着部材(図示せず)で支持固定してある。
【００３７】
(主パネルについて)
前記取付支柱１４０,１４０には、主パネル１６０が着脱可能に取付けられる。すなわちこの主パネル１６０は、前記取付支柱１４０,１４０に一部分が係止され、前記保管庫本体３４の左右両側面と整列する両側面パネル１８０,１８０および後面と整列する後面パネル２００が一体的に形成されたものである。各側面パネル１８０における前面側に近接した位置に、対応する取付支柱１４０の係止受部１４０ｃ,１４０ｃと対応するよう側面係合部としての２つの係止金具２２０,２２０が上下方向に所定間隔離間して配設される。各係止金具２２０は、図１６あるいは図１９に示すように、短冊状の板材をＬ形に折曲すると共に、内側(制御室側)に延出する短辺の開放端から側面パネル１８０の内側面に向けて下方傾斜させたフランジ状部２２０ａを一体的に形成した部材であって、Ｌ形の長辺を側面パネル１８０に固定してある。なお係止金具２２０,２２０の上下に離間する長さは、前記係止受部１４０ｃ,１４０ｃの上下に離間する長さに対応するよう設定されている。
【００３８】
前記主パネル１６０の後面側を前記保管庫本体３４に支持固定するための２組の係止手段２４０,２４０が、該主パネル１６０およびこれが載置される保管庫本体３４の上面部における所定部位に夫々設けられている。主パネル１６０側に設けられる一方の係止手段２４０は、断面Ｌ形に折曲形成された所要長さの係止具２６０であって、前記後面パネル２００と各側面パネル１８０が連続している左右両後隅部において、両パネル２００,１８０に当接する状態で夫々配設されている。この係止具２６０の下端部には、図１６および図１８に示すように、Ｌ形を形成する２辺と対応して矩形状に形成された板部分２７０が水平状態で一体的に形成されると共に、この板部分２７０に、前部側に対して後部側が僅かに大径に開設された後下部係合部としての係合長孔２７０ａが開設されている。また保管庫本体３４上面部の後側には、両係止具２６０,２６０と対応する左右に離間する位置に、他方の係止手段２４０を構成して、各係合長孔２７０ａが係脱可能に係合する後部被係合部としての被係合突起２８０が夫々突設されている。なお、この被係合突起２８０としては、例えばネジを利用することができるが、第１実施例の被係合突起１８ｂと同じ構成のものであってもよい。
【００３９】
前記係合長孔２７０ａにおける後部側の直径は、前記被係合突起２８０の頭部の通過を充分許容すると共に、前部側の直径は該被係合突起２８０の頭部と係合し得る寸法に設定されている。そして主パネル１６０を保管庫本体３４の上面部に取付けるに際しては、後述するように、係合長孔２７０ａの後部側を被係合突起２８０に挿通させると共に、前記係止金具２２０,２２０のフランジ状部２２０ａ,２２０ａを取付支柱１４０の係止受部１４０ｃ,１４０ｃに上方から係止した後、該主パネル１６０を保管庫本体３４の後側に移動させることで、主パネル１６０が保管庫本体３４の上面部に係止固定される。
【００４０】
前記主パネル１６０を構成する前記各側面パネル１８０の上端部から内側に向かって所要幅で張出した張出し部の内端縁部には、該主パネル１６０の前面部近傍から後面部に至る部位に亘って側上部被係合部としての係止溝１８０ａが形成されている。この係止溝１８０ａは、図２３に示すように、張出し部の内端縁を主パネル１６の下方に折曲した後、所要角度で斜め上方に再度折曲することで上方に開放するよう構成されたものであって、後述する如く、上面パネル３００に形成された係止片３００ｂが係脱可能に係合されるようになっている。また、後面パネル２００の上端部から内側に向かって所要幅で張出した張出し部の内端縁部には、下方に向けて略直角に折曲された後上部被係合部としてのフランジ部２００ａが形成されており、該フランジ部２００ａに上面パネル３００に形成された係止部３００ａが係脱可能に係合されるよう構成してある。
【００４１】
(上面パネルについて)
前記主パネル１６０には、その上方から上面パネル３００が着脱可能に取付けられるようになっている。すなわち該上面パネル３００は、図１６および図２１に示すように、主パネル１６０の開放上面部を閉成し得る寸法に設定された板材であって、前記後面パネル２００の上端部に形成したフランジ部２００ａと係合可能な後部係合部としての係止部３００ａが後面側に形成されると共に、前記各側面パネル１８０の上端部に形成した係止溝１８０ａに対してその上方から係合可能な側部係合部としての係止片３００ｂが幅方向両側端部に夫々形成されている。この係止部３００ａは、図２２に示すように、後面側に突出する断面Ｌ字状に折曲形成された部分であって、前記係止溝１８０ａ,１８０ａが相互に離間する幅よりも若干短い幅寸法に設定される。また係止片３００ｂは、幅方向の端縁部から下方に略直角に折曲形成された帯状の部分であって、係止溝１８０ａが形成された範囲と対応する範囲に設定されている。更に上面パネル３００の前面側開放端には、後面側に形成した係止部３００ａと略同一の範囲で前部被係合部としての係止縁部３００ｃが折曲形成されている。そして、この係止縁部３００ｃには、前上部パネル３４０のフランジ部３４０ｄが係合するよう構成されている。
【００４２】
(前面パネルについて)
前記取付支柱１４０,１４０の前面に取付けられる前面パネル３１０は、該取付支柱１４０,１４０の上部側に取付けられる前上部パネル３４０と下部側に取付けられる制御パネル３２０との上下に分割可能な２つの部材から構成されている。前上部パネル３４０は、図１６および図２４に示すように、左右幅寸法が、主パネル１６０における側面パネル１８０,１８０の離間幅と略同一になるよう寸法設定されたものであって、後面側の幅方向両側において取付支柱１４０の第１折曲部１４０ａと平行に形成された所要幅の各フランジ部３４０ａに、前記上係止突起１４０ｅに係脱可能な前面係合部としての係合長孔３４０ｂが縦方向に夫々開設されている。この係合長孔３４０ｂは、下方に位置する部位が上係止突起１４０ｅの大径頭部の通過を許容すると共に、上方に位置する部位が該上係止突起１４０ｅの大径頭部の通過を許容しない直径寸法に設定されている。また前上部パネル３４０は、後面側の開口部から内側に差込まれた両取付支柱１４０,１４０の突片１５０,１５０に上板の下面が載置されると共に、各突片１５０のネジ孔１５０ａと対応する位置の上板に通孔３４０ｃが開設されている。すなわち、後述するように、この通孔３４０ｃに上方から挿通した固定部材としての止着ネジ３５０(図２８参照)をネジ孔１５０ａに螺挿することで、前上部パネル３４０が保管庫本体３４の上面部に支持固定されるよう構成される。なお、前上部パネル３４０の後面側の上部には、前記上面パネル３００の前端部に折曲形成された前記係止縁部３００ｃに係脱可能に係合する上部係合部としてのフランジ部３４０ｄが形成されている。
【００４３】
前記制御パネル３２０は、図１６および図２５に示すように、左右幅寸法が前記前上部パネル３４０と同一に設定されており、その前面部が上端から下端に向けて内側に僅かに傾斜するよう形成されている。また後面側の幅方向両側において取付支柱１４０の第１折曲部１４０ａと平行に形成された所要幅の各フランジ部３２０ａには、前記取付支柱１４０の下係止突起１４０ｄに係脱可能な前面係合部としての係合長孔３２０ｂが縦方向に夫々開設されている。この係合長孔３２０ｂは、下方に位置する部位が下係止突起１４０ｄの大径頭部の通過を許容すると共に、上方に位置する部位が該下係止突起１４０ｄの大径頭部の通過を許容しない直径寸法に設定されている。更に制御パネル３２０には、前記電装箱１６等の電装部品に接続する司令部３６０が配設されている。なお制御パネル３２０を係止する下係止突起１４０ｄおよび前上部パネル３４０を係止する上係止突起１４０ｅは、何れもビス等の止着部材が好適に使用される。
【００４４】
【第２実施例の作用】
次に、前述した第２実施例に係るキャビネット構造の作用につき説明する。前記取付支柱１４０,１４０は、前述したように、保管庫本体３４の上面部に図示しないリベット等の部材を介して支持固定される。この取付支柱１４０,１４０に対して、先ず前記主パネル１６０を取付ける。この取付けに際しては、図１７に示すように、主パネル１６０を保管庫本体３４の上面と平行に整列させた状態でその略鉛直上方から上面に向けて到来させ、前記各係止手段２４０をなす前記係止具２６０に形成された係合長孔２７０ａを、他方の係止手段２４０である前記被係合突起２８０に大径部側を介して挿通させると共に、各側面パネル１８０の前記係止金具２２０,２２０のフランジ状部２２０ａ,２２０ａを第２折曲部１４０ｂの外側から上下の各係止受部１４０ｃ,１４０ｃに夫々上方から臨ませて係止する。
【００４５】
そして、前述した状態から主パネル１６０の全体を保管庫本体３４の後方に移動させることで、係止手段２４０の被係合突起２８０が係合長孔２７０ａの所謂小径部方向に相対的に移動した抜止めされると共に、側面パネル１８０の各係止金具２２０が、取付支柱１４０の係止受部１４０ｃに係合した状態で後端部側に移動する。これにより主パネル１６０は、図１８および図１９に示すように、前記後面パネル２００が被係合突起２８０と係止具２６０との係合によって左右方向および上方向への移動が規制される。また側面パネル１８０は、係止金具２２０によって左右方向への移動が規制された状態で、図２０に示すように、その前端部が、保管庫本体３４の前端部に垂直方向で整列するようになる。
【００４６】
次に、前述したように保管庫本体３４に取付けた主パネル１６０に対し、その上方から前記上面パネル３００を取付ける。この上面パネル３００は、図２１に示すように、後面側の前記係止部３００ａにおける開放端部を、前記後面パネル２００のフランジ部２００ａの下方に斜め上方から差込んだ状態で係止させ、該係止部３００ａを支点として上面パネル３００全体を主パネル１６０に対して下方に回動させる。この際に、前述したように、該上面パネル３００の幅方向両側に形成した前記係止片３００ｂ,３００ｂが、側面パネル１８０,１８０の張出し部に設けた係止溝１８０ａ,１８０ａに上方から載置係合されることで、図２２および図２３に示すように、上面パネル３００がその上端面を主パネル１６０の上端面と整列させた状態で取付けられる。なお上面パネル３００の前端部に形成した係止縁部３００ｃは、その前端面が前記取付支柱１４０,１４０における第１折曲部１４０ａ,１４０ａの前端面と整列する。またこの段階では、該上面パネル３００は左右方向への移動のみが規制された状態にある。
【００４７】
次に、前記取付支柱１４０,１４０の前面に、前記制御パネル３２０を取付ける。すなわち、この制御パネル３２０は、図２６に示すように、前記各フランジ部３２０ａに形成した係合長孔３２０ｂの大径部を、対応する取付支柱１４０に配設した係止突起１４０ｄに挿通させた後、該係合長孔３２０ｂに沿って制御パネル３２０を下方に移動させる。これによって、制御パネル３２０は、図２７に示すように、その下端部を保管庫本体３４の上面に落着すると共に、係止突起１４０ｄ,１４０ｄにより前方への移動が規制された状態で支持固定される。更に、取付支柱１４０,１４０の前面における制御パネル３２０の上部に、前記前上部パネル３４０を取付ける。すなわち、前上部パネル３４０は、図２８に示すように、各取付支柱１４０に配設した係止突起１４０ｅに係合長孔３４０ｂの大径部を夫々挿通させた後、該係合長孔３４０ｂの延在方向に沿って前上部パネル３４０を下方に移動させる。これにより前上部パネル３４０は、その下端部が制御パネル３２０の上面に当接すると共に、後面側上部に形成したフランジ部３４０ｄが、上面パネル３００の前記係止縁部３００ｃに上方から係合される(図２９参照)。また前上部パネル３４０の上板下面は、取付支柱１４０,１４０における前記突片１５０,１５０の上面に当接載置される。そして、前上部パネル３４０の各通孔３４０ｃに上方から挿通した止着ネジ３５０を、対応する突片１５０のネジ孔１５０ａに夫々螺挿することにより、図２８および図３０に示すように、該前上部パネル３４０が保管庫本体３４０の上面部に支持固定される。
【００４８】
すなわち、前上部パネル３４０を取付支柱１４０,１４０にネジ止めすることで、制御室キャビネット１２０を構成する前記主パネル１６０は、該前上部パネル３４０および制御パネル３２０で前方への移動が規制されるため、前記係止具２６０と被係合突起２８０との係合によってその後面側の係止状態が保持される。また上面パネル３００は、主パネル１６０の後面側と係合した前記係止部３００ａと前上部パネル３４０のフランジ部３４０ｄに係合する係止縁部３００ｃによって上方への移動が規制される。しかも、上面パネル３００が前上部パネル３４０で移動規制されることにより、上面パネル３００の幅方向両端部に形成した前記係止片３００ｂ,３００ｂが、側面パネル１８０,１８０の張出し部を上面から支持して主パネル１６０の上方への移動を好適に規制する。更に制御パネル３２０は、前上部パネル３４０が載置されて上方への移動が規制されることで本体上面から抜止めされる。
【００４９】
前述したように、第２実施例に係る前記制御室キャビネット１２０では、基本的には前上部パネル３４０を固定するための２本の止着ネジ３５０により固定されているから、その組立ておよび分解作業を更に簡単かつ短時間で行ない得ると共に、止着ネジ３５０の使用数は少なく、製造コストを低廉に抑えることができる。また、前記制御室１３に配設されている各種電装部品や電装箱１６の調整・補修に際しては、２本の止着ネジ３５０を外して前上部パネル３４０を取付支柱１４０,１４０から取外すだけで、制御室１３内を前面側から視認可能となるので、手間がかからない。しかも、制御パネル３２０の司令部３６０と電装箱１６とを接続コード２６ｄを介して接続した状態で調整・補修作業を行ない得るから、作動確認を直に行なうことが可能である。なお、前記上面パネル３００は、前上部パネル３４０を取外した状態で、該上面パネル３００の前面側を上方に傾動することで、主パネル１６０から取外し得るよう構成されている。従って、食器保管庫１０の設置状態によって、前側からしか作業を行なえない場合であっても、前上部パネル３４０を取外すことにより、上面パネル３００を取外すことが可能である。
【００５０】
前述した第２実施例のキャビネット構造において、係止受部１４０ｃと係止金具２２０、上下の係止突起１４０ｅ,１４０ｄと係合長孔３４０ｂ,３２０ｂ、および被係合突起２８０と係合長孔２７０ａとの関係については、夫々配設部位を逆にした構成を採用可能である。
【００５１】
【発明の効果】
以上に説明した如く、本発明に係るキャビネット構造によれば、キャビネットを構成する各パネル同士を相互に係合したもとで、前後のパネルを固定手段を用いて固定することで、全てのパネルが位置決め固定されるよう構成したから、キャビネットの分解・組立てを簡単に行なうことができ、これに伴い室内に配置される各種電装部品等の調整・補修を容易に行なうことができる。また、キャビネットを構成する全てのパネルが、少ない固定手段で固定可能であるから、部品点数および組立工数を大きく低減して製造コストを低廉に抑える効果を奏する。
【００５２】
なお、両側面パネルと後面パネルとを一体的に形成した主パネルを用いる構成では、固定手段を更に少なくすることができ、部品点数および組立工数を更に低減して製造コストを低廉に抑えることが可能となる。
【００５３】
更に、前面パネルを上下に分割可能な前上部パネルと制御パネルとから構成したので、制御パネルを取外すことなく、室内に配置される各種電装部品の調整・補修が可能となる。すなわち、各種電装部品の調整・補修を行ないながら、その作動確認を行なうことができる。
【図面の簡単な説明】
【図１】  第１実施例に係る制御室キャビネットを構成する各パネルを分解して示す分解斜視図である。
【図２】  第１実施例に係る食器保管庫を示す正面図である。
【図３】  第１実施例に係る制御室キャビネットを構成する各パネルを取付ける取付支柱を示す斜視図である。
【図４】  第１実施例に係る制御室キャビネットを構成する両側面パネルを示す斜視図である。
【図５】  第１実施例に係る制御室キャビネットを構成する上面パネルを示す斜視図である。
【図６】  第１実施例に係る制御室キャビネットを構成する後面パネルを示す斜視図である。
【図７】  第１実施例に係る制御室キャビネットを構成する前面パネルを示す斜視図である。
【図８】  第１実施例に係る取付支柱に両側面パネルを取付ける状態を示す説明図である。
【図９】  第１実施例に係る取付支柱に右側面パネルを取付ける状態を示す要部縦断正面図である。
【図１０】  第１実施例に係る両側面パネルに上面パネルを取付ける状態を示す説明図である。
【図１１】  第１実施例に係る両側面パネルに対して上面パネルを取付ける状態を示す要部縦断正面図である。
【図１２】  第１実施例に係る制御室キャビネットを構成する後面パネルを取付ける状態を示す説明図である。
【図１３】  第１実施例に係る後面パネルと上面パネルとの係合部位を拡大して示す要部縦断側面図である。
【図１４】  第１実施例に係る制御室キャビネットを構成する前面パネルを取付ける状態を示す説明図である。
【図１５】  第１実施例に係る前面パネルを取外すことで上部パネルを取外し得る状態を示す説明図である。
【図１６】  第２実施例に係る制御室キャビネットを構成する各パネルを分解して示す分解斜視図である。
【図１７】  第２実施例に係るキャビネット構造において、主パネルを取付ける状態を示す縦断側面図である。
【図１８】  第２実施例に係る主パネルを保管庫本体の上面部に配設した状態を示す要部縦断側面図である。
【図１９】  第２実施例に係る主パネルを保管庫本体の上面部に配設した状態を示す要部縦断正面図である。
【図２０】  第２実施例に係る主パネルを保管庫本体の上面部に配設した状態を示す要部平面図である。
【図２１】  第２実施例に係る主パネルの上面に上面パネルを配設する状態を示す縦断側面図である。
【図２２】  第２実施例に係る主パネルの上面に上面パネルを配設した状態を示す要部縦断側面図である。
【図２３】  第２実施例に係る主パネルの上面に上面パネルを配設した状態を示す要部縦断正面図である。
【図２４】  第２実施例に係る前上部パネルを示す一部切欠正面図である。
【図２５】  第２実施例に係る制御パネルを示す一部切欠正面図である。
【図２６】  第２実施例に係る制御パネルを取付支柱に配設する状態を示す要部縦断側面図である。
【図２７】  第２実施例に係る制御パネルを取付支柱に配設した状態を示す要部正面図である。
【図２８】  第２実施例に係る前上部パネルを取付支柱に配設する状態を示す要部縦断側面図である。
【図２９】  第２実施例に係る前上部パネルを取付支柱に配設した状態を示す一部切欠正面図である。
【図３０】  第２実施例に係る前上部パネルを取付支柱に配設した状態を示す要部平面図である。
【図３１】  従来の技術に係る食器保管庫を示す正面図である。
【図３２】  従来の技術に係る食器保管庫の上面パネルを一部切欠いて示す平面図である。
【図３３】  従来の技術に係る食器保管庫を、制御室キャビネットを構成する各パネルを取外した状態で示す斜視図である。
【符号の説明】
１３ 制御室(室)，１６ 電装箱，１４ 制御室キャビネット(キャビネット)
１８ 取付支柱，１８ａ 被係合受部(被係合部)
１８ｂ 被係合突起(被係合部)，２１ 後面パネル
２１ｄ 係合辺(後部第２係合部)，２１ｅ 係合長孔(後部第１係合部)
２２ 右側面パネル，２２ｃ 係合フック(側部係合部)
２２ｄ 被係合溝(側部被係合部)，２３ 左側面パネル
２３ｃ 係合フック(側部係合部)，２３ｄ 被係合溝(側部被係合部)
２４ 上面パネル，２４ａ 係合辺(上部係合部)
２４ｂ 被係合溝(上部被係合部)，２５ 前上部パネル
２５ｄ 係合辺(前部第２係合部)，２５ｅ 係合長孔(前部第１係合部)
２６ 制御パネル，２６ｅ 係合長孔(前部第１係合部)，２６ｃ 司令部
２７ 前面パネル，２８ ネジ(固定手段)，３４ 保管庫本体(本体)
１２０ 制御室キャビネット(キャビネット)，１４０ 取付支柱
１４０ｃ 係止受部(側面被係合部)，１４０ｄ 下係止突起(前面被係合部)
１４０ｅ 上係止突起(前面被係合部)，１６０ 主パネル
１８０ 側面パネル，１８０ａ 係止溝(側上部被係合部)，２００ 後面パネル
２００ａ フランジ部(後上部被係合部)，２２０ 係止金具(側面係合部)
２７０ａ 係合長孔(後下部係合部)，２８０ 被係合突起(後部被係合部)
３００ 上面パネル，３００ａ 係止部(後部係合部)
３００ｂ 係止片(側部係合部)，３００ｃ 係止縁部(前部被係合部)
３１０ 前面パネル，３２０ 制御パネル，３２０ｂ 係合長孔(前面係合部)
３４０ 前上部パネル，３４０ｂ 係合長孔(前面係合部)
３４０ｄ フランジ部(上部係合部)，３５０ 止着ネジ(固定部材)
３６０ 司令部
【図１】
0003657861.tif 000002
【図２】
0003657861.tif 000003
【図３】
0003657861.tif 000004
【図４】
0003657861.tif 000005
【図５】
0003657861.tif 000006
【図６】
0003657861.tif 000007
【図７】
0003657861.tif 000008
【図８】
0003657861.tif 000009
【図９】
0003657861.tif 000010
【図１０】
0003657861.tif 000011
【図１１】
0003657861.tif 000012
【図１２】
0003657861.tif 000013
【図１３】
0003657861.tif 000014
【図１４】
0003657861.tif 000015
【図１５】
0003657861.tif 000016
【図１６】
0003657861.tif 000017
【図１７】
0003657861.tif 000018
【図１８】
0003657861.tif 000019
【図１９】
0003657861.tif 000020
【図２０】
0003657861.tif 000021
【図２１】
0003657861.tif 000022
【図２２】
0003657861.tif 000023
【図２３】
0003657861.tif 000024
【図２４】
0003657861.tif 000025
【図２５】
0003657861.tif 000026
【図２６】
0003657861.tif 000027
【図２７】
0003657861.tif 000028
【図２８】
0003657861.tif 000029
【図２９】
0003657861.tif 000030
【図３０】
0003657861.tif 000031
【図３１】
0003657861.tif 000032
【図３２】
0003657861.tif 000033
【図３３】
0003657861.tif 000034